(57)【要約】【課題】光源に流れる電流の最大値を低減し、光源の発熱量を抑制することができ、かつ、任意の２つの光色を得ることができる点灯装置を提供する。【解決手段】点灯装置１００は、第１光色を有する第１光源１１と、第２光色を有する第２光源１２とを有する光源部１０の点灯および消灯を切り替え可能である。制御部３０は、第１スイッチＴｒ１が導通する第１導通状態、第２スイッチＴｒ２が導通する第２導通状態、および、第１スイッチＴｒ１および第２スイッチＴｒ２のいずれも導通する第３導通状態とのいずれかに切り替える。第１導通状態において、第２光源１２は、第２導通状態で点灯する光量よりも小さい光量で点灯する。第２導通状態において、第１光源１１は、第１導通状態で点灯する光量よりも小さい光量で点灯する。第３導通状態において、光源部１０は、第１光色と第２光色の中間の光色で点灯する。【選択図】図１
2019135728.tif 000002
【特許請求の範囲】
【請求項１】
第１光色を有する第１光源と、前記第１光色と異なる第２光色を有する第２光源とを有する光源部の点灯および消灯を外部スイッチで切り替え可能な点灯装置であって、
前記第１光源と接続される第１スイッチと、
前記第２光源と接続される第２スイッチと、
前記第１光源および前記第２光源に接続され、前記第１光源および前記第２光源に一定の電流を供給する定電流回路と、
前記第１光源と前記第２光源に接続された所定のインピーダンスを有するインピーダンス部と、
前記第１スイッチおよび前記第２スイッチの少なくとも一方が導通するように制御する制御部と
を備え、
前記第１光源および前記第２光源は、前記定電流回路から供給される電流に基づいた光量で点灯し、
前記制御部は、前記外部スイッチによって電力の供給が一時的に停止された時間が所定時間範囲内であることを検知した際、前記第１スイッチが導通する第１導通状態、前記第２スイッチが導通する第２導通状態、および、前記第１スイッチおよび前記第２スイッチのいずれも導通する第３導通状態の少なくともいずれかの導通状態に切り替え、
前記第１導通状態において、前記第２光源は、前記インピーダンス部によって電流が抑制されることにより前記第１光源よりも小さい光量で点灯し、前記第２導通状態において、前記第１光源は、前記インピーダンス部によって電流が抑制されることにより前記第２光源よりも小さい光量で点灯し、前記第３導通状態において、前記光源部は、前記第１光色と前記第２光色の中間の光色で点灯する、点灯装置。
【請求項２】
前記第２導通状態において前記第１光源を通過する電流は前記第１スイッチを通過することなく前記インピーダンス部を通過し、
前記第１導通状態において前記第２光源を通過する電流は前記第２スイッチを通過することなく前記インピーダンス部を通過し、
前記第１導通状態における前記第１光源と前記第２光源を通過する電流の総和は、前記第２導通状態における前記第１光源と前記第２光源を通過する電流の総和と等しい、請求項１に記載の点灯装置。
【請求項３】
前記インピーダンス部は、抵抗素子を有し、
前記第１スイッチは、前記抵抗素子を介して前記第２光源に接続され、
前記第２スイッチは、前記抵抗素子を介して前記第１光源に接続される、請求項１または請求項２に記載の点灯装置。
【請求項４】
前記インピーダンス部は、
前記第２導通状態において前記第１光源を通過する電流が前記第１スイッチを通過することなく前記定電流回路に流れるように構成された第１インピーダンス部と、
前記第１導通状態において前記第２光源を通過する電流が前記第２スイッチを通過することなく前記定電流回路に流れるように構成された第２インピーダンス部と
を有する、請求項１に記載の点灯装置。
【請求項５】
前記第１インピーダンス部は、
前記第２光源および前記第２スイッチに接続される第１抵抗素子と、
前記第１光源から前記第１抵抗素子へ向かう方向にのみ電流を流す第１整流素子と
を有し、
前記第２インピーダンス部は、
前記第１光源および前記第１スイッチに接続される第２抵抗素子と、
前記第２光源から前記第２抵抗素子へ向かう方向にのみ電流を流す第２整流素子と
を有する、請求項４に記載の点灯装置。
【請求項６】
前記第１インピーダンス部と前記第２インピーダンス部とは分離されており、
前記第１インピーダンス部は第１抵抗素子を有し、
前記第２インピーダンス部は第２抵抗素子を有し、
前記第１スイッチおよび前記第１抵抗素子は、前記第１光源に対して並列に接続され、
前記第２スイッチおよび前記第２抵抗素子は、前記第２光源に対して並列に接続される、請求項４に記載の点灯装置。
【請求項７】
前記第１抵抗素子の抵抗値と、前記第２抵抗素子の抵抗値とは異なる、請求項５または請求項６に記載の点灯装置。
【請求項８】
前記所定のインピーダンスは変更可能である、請求項２から請求項７のいずれか１項に記載の点灯装置。
【請求項９】
請求項１から請求項８のいずれか１項に記載の点灯装置と、
前記光源部と
を備える、照明器具。
【発明の詳細な説明】
【技術分野】
【０００１】
本発明は、点灯装置および照明器具に関する。
【背景技術】
【０００２】
従来、点灯する光の色温度を変更することが可能な点灯器具が知られている。特許文献１に記載の点灯装置では、照明の電源スイッチをオンからオフに切り替えた後、短時間で再びオンに切り替えることによって、点灯する光源が切り替えられ点灯する光の色温度を変更することができる。
【先行技術文献】
【特許文献】
【０００３】
【特許文献１】特開２０１０−２８２７５７号公報
【発明の概要】
【発明が解決しようとする課題】
【０００４】
しかしながら、特許文献１に記載の点灯装置では、それぞれの光源に流れる電流の最大値が高くなり、光源の発熱量が大きくなる可能性があった。
【０００５】
本発明は上記課題に鑑みてなされたものであり、その目的は光源に流れる電流の最大値を低減し、光源の発熱量を抑制し、かつ任意の２つの光色を得ることができる点灯装置および照明器具を提供することにある。
【課題を解決するための手段】
【０００６】
本願に開示する点灯装置は、光源部の点灯および消灯を外部スイッチで切り替え可能な点灯装置である。前記光源部は、第１光源と、第２光源とを有する。前記第１光源は、第１光色を有する。前記第２光源は、前記第１光色と異なる第２光色を有する。前記点灯装置は、第１スイッチと、第２スイッチと、定電流回路と、インピーダンス部と、制御部とを備える。前記第１スイッチは、前記第１光源と接続される。前記第２スイッチは、前記第２光源と接続される。前記定電流回路は、前記第１光源および前記第２光源に接続される。前記定電流回路は、前記第１光源および前記第２光源に一定の電流を供給する。前記インピーダンス部は、前記第１光源と前記第２光源に接続された所定のインピーダンスを有する。前記制御部は、前記第１スイッチおよび前記第２スイッチの少なくとも一方が導通するように制御する。前記第１光源および前記第２光源は、前記定電流回路から供給される電流に基づいた光量で点灯する。前記制御部は、前記外部スイッチによって電力の供給が一時的に停止された時間が所定時間範囲内であることを検知した際、前記第１スイッチが導通する第１導通状態、前記第２スイッチが導通する第２導通状態、および、前記第１スイッチおよび前記第２スイッチのいずれも導通する第３導通状態の少なくともいずれかの導通状態に切り替える。前記第１導通状態において、前記第２光源は、前記インピーダンス部によって電流が抑制されることにより前記第１光源よりも小さい光量で点灯する。前記第２導通状態において、前記第１光源は、前記インピーダンス部によって電流が抑制されることにより前記第２光源よりも小さい光量で点灯する。前記第３導通状態において、前記光源部は、前記第１光色と前記第２光色の中間の光色で点灯する。
【０００７】
本願に開示する点灯装置において、前記第２導通状態において前記第１光源を通過する電流は前記第１スイッチを通過することなく前記インピーダンス部を通過することが好ましい。前記第１導通状態において前記第２光源を通過する電流は前記第２スイッチを通過することなく前記インピーダンス部を通過することが好ましい。前記第１導通状態における前記第１光源と前記第２光源を通過する電流の総和は、前記第２導通状態における前記第１光源と前記第２光源を通過する電流の総和と等しいことが好ましい。
【０００８】
本願に開示する点灯装置において、前記インピーダンス部は、抵抗素子を有することが好ましい。前記第１スイッチは、前記抵抗素子を介して前記第２光源に接続されることが好ましい。前記第２スイッチは、前記抵抗素子を介して前記第１光源に接続されることが好ましい。
【０００９】
本願に開示する点灯装置において、前記インピーダンス部は、第１インピーダンス部と、第２インピーダンス部とを有することが好ましい。前記第１インピーダンス部は、前記第２導通状態において前記第１光源を通過する電流が前記第１スイッチを通過することなく前記定電流回路に流れるように構成されていることが好ましい。前記第２インピーダンス部は、前記第１導通状態において前記第２光源を通過する電流が前記第２スイッチを通過することなく前記定電流回路に流れるように構成されていることが好ましい。
【００１０】
本願に開示する点灯装置において、前記第１インピーダンス部は、第１抵抗素子と、第１整流素子とを有することが好ましい。前記第１抵抗素子は、前記第２光源および前記第２スイッチに接続されることが好ましい。前記第１整流素子は、前記第１光源から前記第１抵抗素子へ向かう方向にのみ電流を流すことが好ましい。前記第２インピーダンス部は、第２抵抗素子と、第２整流素子とを有することが好ましい。前記第２抵抗素子は、前記第１光源および前記第１スイッチに接続されることが好ましい。前記第２整流素子は、前記第２光源から前記第２抵抗素子へ向かう方向にのみ電流を流すことが好ましい。
【００１１】
本願に開示する点灯装置において、前記第１インピーダンス部と前記第２インピーダンス部とは分離されていることが好ましい。前記第１インピーダンス部は第１抵抗素子を有することが好ましい。前記第２インピーダンス部は第２抵抗素子を有することが好ましい。前記第１スイッチおよび前記第１抵抗素子は、前記第１光源に対して並列に接続されることが好ましい。前記第２スイッチおよび前記第２抵抗素子は、前記第２光源に対して並列に接続されることが好ましい。
【００１２】
本願に開示する点灯装置において、前記第１抵抗素子の抵抗値と、前記第２抵抗素子の抵抗値とは異なることが好ましい。
【００１３】
本願に開示する点灯装置において、前記所定のインピーダンスは変更可能であることが好ましい。
【００１４】
本願に開示する照明器具は、上記に記載の点灯装置と、前記光源部とを備えることが好ましい。
【発明の効果】
【００１５】
本発明によれば、光源の発熱量を抑制することができる。
【図面の簡単な説明】
【００１６】
【図１】本発明の実施形態１に係る点灯装置を有する照明器具のブロック図である。
【図２】本発明の実施形態２に係る点灯装置を有する照明器具のブロック図である。
【図３】本発明の実施形態３に係る点灯装置を有する照明器具のブロック図である。
【発明を実施するための形態】
【００１７】
以下、本発明の実施形態について、図面を参照しながら説明する。なお、図中、同一または相当部分については同一の参照符号を付して説明を繰り返さない。
【００１８】
［実施形態１］
図１を参照して、本発明の実施形態１に係る点灯装置１００について説明する。図１は、本発明の実施形態１に係る点灯装置１００を有する照明器具２００のブロック図である。
【００１９】
照明器具２００は、例えば、ペンダントライトのような吊下げ灯、シーリングライトのような天井直付け灯、ダウンライトのような埋め込み灯、またはブラケットライトのような壁直付け灯である。照明器具２００は、外部スイッチ６２を介して交流電源６４に接続される。外部スイッチ６２は、壁スイッチである。外部スイッチ６２によって点灯および消灯を切り替えることができる。具体的には、外部スイッチ６２がオンになると、交流電源６４から電力が照明器具２００に供給され、照明器具２００は点灯する。また、外部スイッチ６２がオフになると、交流電源６４から照明器具２００に供給される電力が遮断され、照明器具２００は消灯する。
【００２０】
照明器具２００は、点灯装置１００と、光源部１０とを備える。点灯装置１００が光源部１０に電力を供給することによって、照明器具２００は点灯する。光源部１０は、第１光源１１と第２光源１２とを有する。光源部１０は、配線として、配線ｎｄ１および配線ｎｄ２とを有する。配線ｎｄ１は、点灯装置１００の端子Ｔ１１と点灯装置１００の端子Ｔ１２とを結ぶ配線である。配線ｎｄ２は、点灯装置１００の端子Ｔ２１と点灯装置１００の端子Ｔ２２とを結ぶ配線である。第１光源１１は、配線ｎｄ１上に配置される。第２光源１２は、配線ｎｄ２上に配置される。
【００２１】
第１光源１１は、第１光色を有する。第１光色は、例えば、色温度２７００ケルビン（暖色）である。第１光源１１は、複数の発光素子を含む。複数の発光素子は、発光素子１１ａ、発光素子１１ｂおよび発光素子１１ｃを含む。複数の発光素子は、例えば、白色ＬＥＤ（Ｌｉｇｈｔ  Ｅｍｉｔｔｉｎｇ  Ｄｉｏｄｅ）である。複数の発光素子は直列に接続される。
【００２２】
第２光源１２は、第１光色とは異なる第２光色を有する。第２光色は、例えば、色温度５０００ケルビン（寒色）である。第２光源１２は、複数の発光素子を含む。複数の発光素子は、発光素子１２ａ、発光素子１２ｂおよび発光素子１２ｃを含む。複数の発光素子は、例えば、白色ＬＥＤである。複数の発光素子は直列に接続される。典型的には、電流値が同じ場合、発光素子１１ａ、発光素子１１ｂおよび発光素子１１ｃの順方向電圧と、発光素子１２ａ、発光素子１２ｂおよび発光素子１２ｃの順方向電圧とは等しい。
【００２３】
点灯装置１００は、第１スイッチＴｒ１、第２スイッチＴｒ２、定電流回路２０、制御部３０、インピーダンス部４０、および整流回路５０と、平滑回路５２とを有する。点灯装置１００は、配線として、配線ｎ１、配線ｎ２、配線ｎ３、配線ｎ４、配線ｎ５、配線ｎｂ１、配線ｎｂ２、配線ｎｔ１、配線ｎｔ２および配線ｎｒ１を有する。また、端子として、端子Ｔ１１、端子Ｔ１２、端子Ｔ２１および端子Ｔ２２を有する。さらに、点灯装置１００は、接続部ｐ１を有する。点灯装置１００は、外部スイッチ６２で点灯および消灯を切り替え可能である。
【００２４】
配線ｎ１の一端は定電流回路２０に接続される。配線ｎ１は、配線ｎｂ１および配線ｎｂ２に分岐する。配線ｎｂ１の一端は、端子Ｔ１１に接続される。配線ｎｂ２の一端は、端子Ｔ２１に接続される。配線ｎｒ１には、インピーダンス部４０が配置される。配線ｎｒ１は、第１光源１１と第１スイッチＴｒ１との中間点と、第２光源１２と第２スイッチＴｒ２との中間点とを結ぶ配線である。第１スイッチＴｒ１と第２スイッチＴｒ２とは、接続部ｐ１で接続し、配線ｎ２を介して定電流回路２０に接続される。配線ｎｔ１の一端は、端子Ｔ１２に接続される。配線ｎｔ２の一端は、端子Ｔ２２に接続される。
【００２５】
接続部ｐ１は、第１スイッチＴｒ１を介して端子Ｔ１２と接続される。また、接続部ｐ１は、第２スイッチＴｒ２およびインピーダンス部４０を介して端子Ｔ１２と接続される。このように、端子Ｔ１２から接続部ｐ１への経路は、インピーダンス部４０を介さない経路と、インピーダンス部４０を介する経路の２通りの経路がある。
【００２６】
接続部ｐ１は、第１スイッチＴｒ１およびインピーダンス部４０を介して端子Ｔ２２と接続される。また、接続部ｐ１は、第２スイッチＴｒ２を介して端子Ｔ２２と接続される。このように、端子Ｔ２２から接続部ｐ１への経路は、インピーダンス部４０を介さない経路と、インピーダンス部４０を介する経路の２通りの経路がある。
【００２７】
第１スイッチＴｒ１は、第１光源１１と直列に接続される。第１スイッチＴｒ１は、例えば、ＮｃｈＭＯＳＦＥＴである。第１スイッチＴｒ１のゲートには、配線ｎ３を介して制御部３０が電気的に接続する。
【００２８】
第２スイッチＴｒ２は、第２光源１２と直列に接続される。第２スイッチＴｒ２は、例えば、ＮｃｈＭＯＳＦＥＴである。第２スイッチＴｒ２のゲートには、配線ｎ４を介して制御部３０が電気的に接続する。
【００２９】
整流回路５０は、交流電源６４から供給された交流電圧を整流する。平滑回路５２は、整流回路５０の出力を平滑化する。整流回路５０および平滑回路５２により、交流電源６４から供給された交流電圧が直流電圧に変換される。直流電圧は、定電流回路２０に入力される。
【００３０】
定電流回路２０は、第１光源１１および第２光源１２に接続される。第１光源１１および第２光源１２は、定電流回路２０に並列に接続される。定電流回路２０は、平滑回路５２の出力（直流電圧）に基づいて定電流を生成し、一定の電流を第１光源１１および第２光源１２に供給する。
【００３１】
制御部３０は、例えば、マイクロコンピューターを含む。制御部３０は、第１スイッチＴｒ１および第２スイッチＴｒ２の少なくとも一方が導通するように制御する。本実施形態では、制御部３０は、第１スイッチＴｒ１および第２スイッチＴｒ２のいずれか一方が導通するように制御する。具体的には、制御部３０は、第１スイッチＴｒ１にＨＩＧＨレベルを出力し、第２スイッチＴｒ２にＬＯＷレベルを出力することによって、第１スイッチＴｒ１のみが導通するように制御する。一方、制御部３０は、第２スイッチＴｒ２にＨＩＧＨレベルを出力し、第１スイッチＴｒ１にＬＯＷレベルを出力することによって、第２スイッチＴｒ２のみが導通するように出力する信号を制御する。本明細書において、第１スイッチＴｒ１のみが導通する状態を第１導通状態、第２スイッチＴｒ２のみが導通する状態を第２導通状態と記載することがある。
【００３２】
外部スイッチ６２によって電力の供給が一時的に停止された時間が所定時間範囲内であることを制御部３０が検知した際、第１スイッチＴｒ１が導通する第１導通状態と、第２スイッチＴｒ２が導通する第２導通状態とのいずれかに切り替える。具体的には、外部スイッチ６２がオンの状態からオフの状態に切り替えられ、その後、所定時間範囲内にオンの状態に切り替えられた場合、制御部３０は、第１導通状態と第２導通状態とを順次切り替える。本明細書において、外部スイッチ６２がオンの状態からオフの状態に切り替えられ、所定時間範囲内にオンの状態に切り替えられる操作を、プルレス操作と記載することがある。所定時間は、例えば、１．５秒以下である。
【００３３】
例えば、点灯装置１００が第１導通状態である際、プルレス操作が行われることによって、制御部３０は、第１導通状態から第２導通状態に第１スイッチＴｒ１および第２スイッチＴｒ２の導通状態を切り替える。具体的には、点灯装置１００が第１導通状態である際、プルレス操作が行われることによって、制御部３０は、第２スイッチＴｒ２にＨＩＧＨレベルを出力する。さらに、制御部３０は、第１スイッチＴｒ１にＬＯＷレベルを出力することによって、第２スイッチＴｒ２のみが導通するように制御する。
【００３４】
一方、点灯装置１００が第２導通状態である際、プルレス操作が行われることによって、制御部３０は、第２導通状態から第１導通状態に第１スイッチＴｒ１および第２スイッチＴｒ２の導通状態を切り替える。具体的には、点灯装置１００が第２導通状態である際、プルレス操作が行われることによって、制御部３０は、第１スイッチＴｒ１にＨＩＧＨレベルを出力する。さらに、制御部３０は、第２スイッチＴｒ２にＬＯＷレベルを出力することによって、第１スイッチＴｒ１のみが導通するように制御する。
【００３５】
電源投入時、すなわち点灯装置１００を消灯から点灯に切り替えた際、制御部３０は、第１スイッチＴｒ１および第２スイッチＴｒ２のいずれか一方が導通するように制御する。電源投入時に第１導通状態および第２導通状態のいずれで第１スイッチＴｒ１および第２スイッチＴｒ２の導通状態を開始するかは、予め設定されていてもよいし、前回消灯時の導通状態を記憶しておき、前回消灯時の導通状態で開始するようにしてもよい。
【００３６】
このように、プルレス操作が行わるたびに、制御部３０は第１導通状態と第２導通状態とを切り替える。したがって、点灯装置１００が点灯する光色を２つのパターンから選択することができる。
【００３７】
インピーダンス部４０は、所定のインピーダンスを有する。インピーダンス部４０は、抵抗素子Ｒを有する。抵抗素子Ｒの抵抗値は、例えば、１ｋΩ以上１００ｋΩ以下である。第１スイッチＴｒ１は、インピーダンス部４０（抵抗素子Ｒ）を介して第２光源１２と接続される。第２スイッチＴｒ２は、インピーダンス部４０（抵抗素子Ｒ）を介して第１光源１１と接続される。
【００３８】
インピーダンス部４０は、第２導通状態において第１光源１１を通過する電流が第１スイッチＴｒ１を通過することなく定電流回路２０に流れるように構成されている。具体的には、第２導通状態において第１光源１１を通過する電流は、第１スイッチＴｒ１を通過することなく、インピーダンス部４０、第２スイッチＴｒ２および接続部ｐ１を通過し定電流回路２０に流れる。
【００３９】
一方、インピーダンス部４０は、第１導通状態において第２光源１２を通過する電流が第２スイッチＴｒ２を通過することなく定電流回路２０に流れるように構成されている。具体的には、第１導通状態において第２光源１２を通過する電流は、第２スイッチＴｒ２を通過することなく、インピーダンス部４０、第１スイッチＴｒ１および接続部ｐ１を通過し定電流回路２０に流れる。
【００４０】
第１光源１１および第２光源１２は、定電流回路２０から供給される電流に基づいた光量で点灯する。点灯装置１００において、第１スイッチＴｒ１は、抵抗素子Ｒを介して第２光源１２と接続される。したがって、点灯装置１００が第１導通状態である場合、定電流回路２０から供給された電流は、第１光源１１へ流れる電流と、第２光源１２に流れる電流とに分かれ、第１光源１１に加えて第２光源１２も点灯する。点灯装置１００が第１導通状態である場合、第２光源１２からの電流がインピーダンス部４０を通過する経路を通過するため、第２光源１２は第２導通状態で点灯する光量よりも小さい光量で点灯する。したがって、第１光源１１および第２光源１２に流れる電流の最大値を低減し、光源部１０の発熱量を抑制することができ、かつ、抵抗値により第１光源１１と第２光源１２との混光による任意の発光色を得ることができる。
【００４１】
一方、点灯装置１００において、第２スイッチＴｒ２は、抵抗素子Ｒを介して第１光源１１と接続される。したがって、点灯装置１００が第２導通状態において、定電流回路２０から供給された電流は、第１光源１１へ流れる電流と、第２光源１２に流れる電流とに分かれ、第２光源１２に加えて第１光源１１も点灯する。点灯装置１００が第２導通状態において、第１光源１１からの電流がインピーダンス部４０を通過する経路を通過するため、第１光源１１は第１導通状態で点灯する光量よりも小さい光量で点灯する。したがって、第１光源１１および第２光源１２に流れる電流の最大値を低減し、光源部１０の発熱量を抑制することができ、かつ、抵抗値により第１光源１１と第２光源１２との混光による任意の発光色を得ることができる。
【００４２】
第１光源１１に流れる電流の比率と第２光源１２に流れる電流との比率は、抵抗素子Ｒの抵抗値に基づく。例えば、点灯装置１００が第１導通状態である場合、抵抗素子Ｒの抵抗値を高くするほど、第１光源１１に流れる電流の比率は高くなり、第２光源１２に流れる電流の比率は低くなる。一方、点灯装置１００が第２導通状態である場合、抵抗素子Ｒの抵抗値を高くするほど、第２光源１２に流れる電流の比率は高くなり、第１光源１１に流れる電流の比率は低くなる。
【００４３】
このように、点灯装置１００は、取り付ける抵抗素子Ｒの抵抗値を変更することによって、第１光源１１に流れる電流の比率と第２光源１２に流れる電流の比率とを変更することができる。したがって、第１光源１１の第１光色（色温度２７００ケルビン）と第２光源１２の第２光色（色温度５０００ケルビン）との間の任意の光色を得ることができる。例えば、第１導通状態において、第１光源１１に加えて、第２光源１２が点灯することによって、第１光色よりも色温度が高い２８００ケルビンの光色の光を発光させることができる。また、第２導通状態において、第２光源１２に加えて、第１光源１１が点灯することによって、第２光色よりも色温度が低い４９００ケルビンの光色の光を発光させることができる。
【００４４】
なお、抵抗素子Ｒは可変抵抗とすることができる。抵抗素子Ｒが可変抵抗である場合、抵抗値を容易に変更することができる。したがって、抵抗素子Ｒを取り換えることなく、第１光源１１に流れる電流の比率と第２光源１２に流れる電流の比率とを変更することができる。
【００４５】
以上、図１を参照して説明したように、点灯装置１００は、第１導通状態において、第２光源１２は、第２導通状態で点灯する光量よりも小さい光量で点灯し、第２導通状態において、第１光源１１は、第１導通状態で点灯する光量よりも小さい光量で点灯する。したがって、定電流回路２０から供給された電流は、第１光源１１へ流れる電流と、第２光源１２に流れる電流とに分かれる。その結果、第１光源１１および第２光源１２に流れる電流の最大値を低減し、光源部１０の発熱量を抑制することができ、かつ、抵抗値により第１光源１１と第２光源１２との混光による任意の光色を得ることができる。
【００４６】
また、第１スイッチＴｒ１は、インピーダンス部４０を介して第２光源１２と接続され、第２スイッチＴｒ２は、インピーダンス部４０を介して第１光源１１と接続される。したがって、インピーダンス部４０（抵抗素子Ｒ）の抵抗値を変更することによって、第１光源１１に流れる電流の比率と第２光源１２に流れる電流の比率とを変更することができる。その結果、第１光源１１の第１光色と第２光源１２の第２光色との間の任意の発光色を得ることができる。
【００４７】
また、インピーダンス部４０のインピーダンスは変更可能であることが好ましい。具体的には、抵抗素子Ｒは可変抵抗であることが好ましい。抵抗素子Ｒが可変抵抗である場合、インピーダンスを容易に変更することができる。したがって、抵抗素子Ｒを取り換えることなく、第１光源１１に流れる電流の比率と第２光源１２に流れる電流の比率とを変更することができる。
【００４８】
［実施形態２］
図２を参照して、本発明の実施形態２に係る点灯装置１００について説明する。図２は、本発明の実施形態２に係る点灯装置１００を有する照明器具２００のブロック図である。インピーダンス部４０が第１インピーダンス部４１と第２インピーダンス部４２とを有する点を除いて、実施形態１に係る点灯装置１００と同様の構成を有するため、重複部分については説明を省略する。
【００４９】
点灯装置１００は、第１スイッチＴｒ１、第２スイッチＴｒ２、定電流回路２０、制御部３０およびインピーダンス部４０を有する。点灯装置１００は、配線として、配線ｎ１、配線ｎ２、配線ｎ３、配線ｎ４、配線ｎ５、配線ｎｂ１、配線ｎｂ２、配線ｎｔ１、配線ｎｔ２、配線ｎｒ１および配線ｎｒ２を有する。インピーダンス部４０は、第１インピーダンス部４１と第２インピーダンス部４２とを有する。
【００５０】
第１インピーダンス部４１は、第１抵抗素子Ｒ１と第１整流素子Ｄ１とを有する。第１抵抗素子Ｒ１は、第２光源１２および第２スイッチＴｒ２に接続される。第１整流素子Ｄ１は、例えば、ダイオードである。第１整流素子Ｄ１は、第１光源１１から第１抵抗素子Ｒ１へ向かう方向にのみ電流を流す。第１インピーダンス部４１は、第２導通状態において第１光源１１を通過する電流が第１スイッチＴｒ１を通過することなく定電流回路２０に流れるように構成されている。配線ｎｒ１には、第１抵抗素子Ｒ１と第１整流素子Ｄ１とが配置される。
【００５１】
第２インピーダンス部４２は、第２抵抗素子Ｒ２と第２整流素子Ｄ２とを有する。第２抵抗素子Ｒ２は、第１光源１１および第１スイッチＴｒ１に接続される。第２整流素子Ｄ２は、例えば、ダイオードである。第２整流素子Ｄ２は、第２光源１２から第２抵抗素子Ｒ２へ向かう方向にのみ電流を流す。第２インピーダンス部４２は、第１導通状態において第２光源１２を通過する電流が第２スイッチＴｒ２を通過することなく定電流回路２０に流れるように構成されている。配線ｎｒ２には、第２抵抗素子Ｒ２と第２整流素子Ｄ２とが配置される。
【００５２】
第１抵抗素子Ｒ１の抵抗値と、第２抵抗素子Ｒ２の抵抗値とは異なっていてもよい。第１抵抗素子Ｒ１の抵抗値と、第２抵抗素子Ｒ２の抵抗値とを個別に変更することによって、第１導通状態および第２導通状態における、第１光源１１に流れる電流の比率と第２光源１２に流れる電流の比率とを個別に変更することができる。したがって、点灯装置１００が点灯する光の光色パターンの自由度を向上させることができる。
【００５３】
［実施形態３］
図３を参照して、本発明の実施形態３に係る点灯装置１００について説明する。図３は、本発明の実施形態３に係る点灯装置１００を有する照明器具２００のブロック図である。第１インピーダンス部４１と第２インピーダンス部４２とが分離している点を除いて、実施形態２に係る点灯装置１００と同様の構成を有するため、重複部分については説明を省略する。
【００５４】
点灯装置１００は、第１スイッチＴｒ１、第２スイッチＴｒ２、定電流回路２０、制御部３０およびインピーダンス部４０を有する。点灯装置１００は、配線として、配線ｎ１、配線ｎ２、配線ｎ３、配線ｎ４、配線ｎ５、配線ｎｂ１、配線ｎｂ２、配線ｎｔ１、配線ｎｔ２、配線ｎｒ１および配線ｎｒ２を有する。インピーダンス部４０は、第１インピーダンス部４１と第２インピーダンス部４２とを有する。
【００５５】
第１インピーダンス部４１と第２インピーダンス部４２とは分離している。第１インピーダンス部４１は、第１抵抗素子Ｒ１を有する。第１スイッチＴｒ１および第１抵抗素子Ｒ１は、第１光源１１に対して並列に接続されている。配線ｎｒ１には、第１抵抗素子Ｒ１が配置される。第２インピーダンス部４２は、第２抵抗素子Ｒ２を有する。第２スイッチＴｒ２および第２抵抗素子Ｒ２は、第２光源１２に対して並列に接続されている。配線ｎｒ２には、第２抵抗素子Ｒ２が配置される。第１インピーダンス部４１と第２インピーダンス部４２とが分離されているため、第１整流素子Ｄ１および第２整流素子Ｄ２を必要としない。
【００５６】
第１抵抗素子Ｒ１の抵抗値と、第２抵抗素子Ｒ２の抵抗値とは異なっていてもよい。第１抵抗素子Ｒ１の抵抗値と、第２抵抗素子Ｒ２の抵抗値とを個別に変更することによって、第１導通状態および第２導通状態における、第１光源１１に流れる電流の比率と第２光源１２に流れる電流の比率とを個別に変更することができる。したがって、点灯装置１００が点灯する光の光色パターンの自由度を向上させることができる。
【００５７】
以上、図面（図１〜図３）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５８】
（１）図１〜図３を参照して説明したように、上記の実施形態では、点灯装置１００は、２つの光源（第１光源１１および第２光源１２）および２つのスイッチ（第１スイッチＴｒ１および第２スイッチＴｒ２）を備えていたがこれに限定されない。例えば、点灯装置１００は、３つ以上の光源および３つ以上のスイッチを備えてもよい。
【００５９】
（２）図１〜図３を参照して説明したように、上記の実施形態では、発光素子は白色ＬＥＤあったがこれに限定されない。赤色ＬＥＤ、青色ＬＥＤまたは緑色ＬＥＤであってもよい。あるいは、発光素子は有機ＥＬであってもよい。
【００６０】
（３）図１〜図３を参照して説明したように、上記の実施形態では、第１光源１１および第２光源１２のそれぞれは発光素子を３つ含んでいたがこれに限定されない。例えば、第１光源１１および第２光源１２が含む発光素子の数は、１つ、２つまたは４つ以上でもよい。
【００６１】
（４）図１〜図３を参照して説明したように、上記の実施形態では、第１スイッチＴｒ１および第２スイッチＴｒ２は、ＮｃｈＭＯＳＦＥＴであったがこれに限定されない。第１スイッチＴｒ１および第２スイッチＴｒ２は、ＰｃｈＭＯＳＦＥＴであってもよい。
【００６２】
（５）図１〜図３を参照して説明したように、上記の実施形態では、制御部３０は、第１スイッチＴｒ１および第２スイッチＴｒ２のいずれか一方が導通するように制御していてが、これに限定されない。例えば、制御部３０は、第１スイッチＴｒ１および第２スイッチＴｒ２のいずれも導通するように制御してもよい。第１スイッチＴｒ１および第２スイッチＴｒ２のいずれも導通するように制御することによって、第１光源１１の光色と第２光源１２の光色との中間の光色を得ることができる。
【００６３】
（６）図１〜図３を参照して説明したように、上記の実施形態では、インピーダンス部４０は、抵抗素子を有していたが、これに限定されない。例えば、コイルまたはコンデンサを有していてもよい。
【符号の説明】
【００６４】
１０      光源部
１１      第１光源
１２      第２光源
２０      定電流回路
３０      制御部
４０      インピーダンス部
４１      第１インピーダンス部
４２      第２インピーダンス部
６２      外部スイッチ
６４      交流電源
１００    点灯装置
２００    照明器具
Ｄ１      第１整流素子
Ｄ２      第２整流素子
Ｒ        抵抗素子
Ｒ１      第１抵抗素子
Ｒ２      第２抵抗素子
Ｔｒ１    第１スイッチ
Ｔｒ２    第２スイッチ
【図１】
2019135728.tif 000003
【図２】
2019135728.tif 000004
【図３】
2019135728.tif 000005